【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する方法であって、
前記共有ネットワークを介するＭＢＭＳコンテンツ配信をサポートするよう前記ＢＭ−ＳＣのロジック要素の第１の部分を割り当てるステップと、
前記プロプライアタリ・ネットワークを介するＭＢＭＳコンテンツ配信をサポートするよう前記ＢＭ−ＳＣ又は更なるＢＭ−ＳＣのロジック要素の第２の部分を割り当てるステップと
を有する方法。
【請求項２】
前記共有ネットワークを介するＭＢＭＳコンテンツ配信をサポートするようＢＭ−ＳＣの前記ロジック要素の第１の部分を割り当てるステップ、及び前記プロプライアタリ・ネットワークを介するＭＢＭＳコンテンツ配信をサポートするよう前記ＢＭ−ＳＣの前記ロジック要素の第２の部分を割り当てるステップは、
ＭＢＭＳコンテンツ配信が前記共有ネットワーク又は前記プロプライアタリ・ネットワークのうち少なくとも１つに送られるかどうか、
ＭＢＭＳコンテンツがＭＢＭＳネットワークを共有するサービス・プロバイダの間で共通であるかどうか、
ＭＢＭＳコンテンツ配信が前記プロプライアタリ・ネットワークのオペレータ専用であるかどうか
のうち少なくとも１つに基づく、請求項１記載の方法。
【請求項３】
ＢＭ−ＳＣのロジック要素の一部を割り当てるステップは、
ＭＢＭＳコンテンツ配信をトリガするストリーミング・サーバ・ロジックを割り当てるステップ、
トランスポート・キー配信をトリガするストリーミング・サーバ・ロジックを割り当てるステップ
のうち少なくとも１つを有する、請求項１又は２記載の方法。
【請求項４】
ＭＢＭＳコンテンツ配信をトリガするストリーミング・サーバ・ロジックは、前記共有ネットワークを介するＭＢＭＳコンテンツ配信をトリガするよう前記ロジック要素の第１の部分、及び前記プロプライアタリ・ネットワークを介するＭＢＭＳコンテンツ配信をトリガするよう前記ロジック要素の第２の部分の両方で割り当てられる、請求項３記載の方法。
【請求項５】
前記トランスポート・キー配信をトリガするストリーミング・サーバ・ロジックは、前記共有ネットワークを介するトランスポート・キー配信をトリガするよう前記ロジック要素の第１の部分、及び前記プロプライアタリ・ネットワークを介するトランスポート・キー配信をトリガするよう前記ロジック要素の第２の部分の両方で割り当てられる、請求項３記載の方法。
【請求項６】
前記共有ネットワークを介して遠隔通信ユニットによってマルチメディア放送マルチキャスト・サービスを受信するステップと、
前記共有ネットワークからの補償範囲の外にあることを前記遠隔通信ユニットによって検出するステップと、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するステップと
を更に有する請求項１乃至５のうちいずれか一項記載の方法。
【請求項７】
前記プロプライアタリ・ネットワークを介するＭＢＭＳコンテンツ配信をサポートするようＢＭ−ＳＣのロジック要素の第１の部分及び／又はロジック要素の第２の部分を割り当てるステップは、前記プロプライアタリ・ネットワークへ管理モジュール・ロジックを割り当てるステップを有する、請求項１乃至６のうちいずれか一項記載の方法。
【請求項８】
共有ネットワーク及びプロプライアタリ・ネットワークを有する通信システムを介してマルチメディア放送マルチキャスト・サービス（ＭＢＭＳ）を提供する放送マルチキャスト・サービス・センタ（ＢＭ−ＳＣ）であって、
前記共有ネットワークを介するＭＢＭＳコンテンツ配信をサポートすることができるロジック要素の第１の部分と、
前記プロプライアタリ・ネットワークを介するＭＢＭＳコンテンツ配信をサポートすることができるロジック要素の第２の部分と
を有する放送マルチキャスト・サービス・センタ。
【請求項９】
共有ネットワーク及びプロプライアタリ・ネットワークを有する通信システムを介してマルチメディア放送マルチキャスト・サービス（ＭＢＭＳ）を受信する遠隔ステーションであって、
前記共有ネットワークを介して放送マルチキャスト・サービス・センタ（ＢＭ−ＳＣ）からのＭＢＭＳコンテンツ配信を受信する受信器を有し、
前記受信器は、また、ＭＢＭＳコンテンツ配信及び少なくとも１つのトランスポート・キーのうち少なくとも１つを、同じＢＭ−ＳＣ及び異なるＢＭ−ＳＣのうち少なくとも１つから前記プロプライアタリ・ネットワークを介して受信することができる、遠隔ステーション。
【請求項１０】
共有ネットワーク及びプロプライアタリ・ネットワークを有する通信システムを介してマルチメディア放送マルチキャスト・サービス（ＭＢＭＳ）を受信する遠隔ステーションであって、
前記共有ネットワークを介してマルチメディア放送マルチキャスト・サービスを受信する受信器と、
前記共有ネットワークからの補償範囲の外にあることを検出する検出器と、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するロジックと
を有する遠隔ステーション。
【請求項１１】
共有ネットワーク及びプロプライアタリ・ネットワークを有し、マルチメディア放送マルチキャスト・サービス（ＭＢＭＳ）をサポートする通信システムであって、
前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、
前記ロジックは、また、前記プロプライアタリ・ネットワークを介するＭＢＭＳコンテンツ配信をサポートするよう前記ＢＭ−ＳＣ又は更なるＢＭ−ＳＣのロジック要素の第２の部分を割り当てるよう配置される、通信システム。
【請求項１２】
マルチメディア放送マルチキャスト・サービス（ＭＢＭＳ）をサポートする実行可能なプログラムコードを有するコンピュータプログラムであって、
前記共有ネットワークを介するＭＢＭＳコンテンツ配信をサポートするよう放送マルチキャスト・サービス・センタ（ＢＭ−ＳＣ）のロジック要素の第１の部分を割り当てるプログラムコードと、
前記プロプライアタリ・ネットワークを介するＭＢＭＳコンテンツ配信をサポートするよう前記ＢＭ−ＳＣのロジック要素の第２の部分を割り当てるプログラムコードと
を有するコンピュータプログラム。
【請求項１３】
共有ネットワーク及びプロプライアタリ・ネットワークを有する通信システム上でマルチメディア放送マルチキャスト・サービス（ＭＢＭＳ）をサポートするよう配置される集積回路であって、
前記共有ネットワークを介するＭＢＭＳコンテンツ配信をサポートするよう放送マルチキャスト・サービス・センタ（ＢＭ−ＳＣ）のロジック要素の第１の部分を割り当てるよう配置されるロジックを有し、
前記ロジックは、また、前記プロプライアタリ・ネットワークを介するＭＢＭＳコンテンツ配信をサポートするよう前記ＢＭ−ＳＣ又は更なるＢＭ−ＳＣのロジック要素の第２の部分を割り当てるよう配置される、集積回路。
【請求項１４】
複数のロジック要素を有する放送マルチキャスト・サービス・センタ（ＢＭ−ＳＣ）と、マルチメディア放送マルチキャスト・サービス（ＭＢＭＳ）コンテンツを提供する共有ネットワーク及びプロプライアタリ・ネットワークとを有する通信システムを介してＭＢＭＳを提供する方法であって、
前記共有ネットワークを介して遠隔通信ユニットによってマルチメディア放送マルチキャスト・サービスを受信するステップと、
前記共有ネットワークからの補償範囲の外にあることを前記遠隔通信ユニットによって検出するステップと、
該検出に応答して、前記共有ネットワークを介して受信されたのと同じコンテンツ配信を前記プロプライアタリ・ネットワーク上で保つよう該プロプライアタリ・ネットワークのＢＭ−ＳＣストリーミング・サーバへ送信するようにリアルタイム・ストリーミング・プロトコル（ＲＴＳＰ）要求を開始するステップと
を有する方法。
【請求項１５】
共有ネットワーク及びプロプライアタリ・ネットワークを有する通信システムを介してマルチメディア放送マルチキャスト・サービス（ＭＢＭＳ）を提供する放送マルチキャスト・サービス・センタ（ＢＭ−ＳＣ）であって、
前記共有ネットワークを介して遠隔通信ユニットから実時間ストリーミング・プロトコル（ＲＴＳＰ）を受信し、前記共有ネットワークからの補償範囲の外であると前記遠隔通信ユニットが検出することに応答して、当該放送マルチキャスト・サービス・センタが前記共有ネットワークを介して送信しているのと同じコンテンツ配信を前記プロプライアタリ・ネットワークを介して送信することができる受信器を有する放送マルチキャスト・サービス・センタ。